(57)【要約】本発明は、囲い、特に、有益にはスライドドアを含む、半球状ボウルの形状を有するスパ用の囲いを対象としている。本発明による、特にスパ用の囲いは、幾つかの球状セグメント（Ａ）を含み、それぞれが、有益には透明のプレート（２）を内側に有するフレーム（１）によって構成されるが、セグメント（Ａ）の下部は、地面に設置された円形又は楕円形の走行トラック（３）上に位置決めされ、更に、頂部では、セグメント（Ａ）は、有益には透明なボウルの形状を有する表面（Ｂ）の縁に分離可能に接続され、同時に、表面（Ｂ）の縁と下部走行トラック（３）との間に、少なくとも一つの球状可動部を有するスライドドア（Ｃ）がある。【選択図】図１
2009511778.tif 000002
【特許請求の範囲】
【請求項１】
回転スライド式の部分的に分割された半球状ボウルの形状を有する、囲い、特にスパ用囲いであって、
前記囲いは、幾つかの球状セグメント（Ａ）を含み、
各セグメントは、有益には透明なプレート（２）を内側に有するフレーム（１）によって構成され、
セグメント（Ａ）の下部は、地面に設置された円形走行トラック（３）上に位置決めされ、同時に、セグメント（Ａ）は、頂部で、有益には透明なボウルの形状を有する上部（Ｂ）の縁に分離可能に固定され、
更に、上部（Ｂ）の縁と下部走行トラック（３）との間には、少なくとも一つの球状可動部を含むスライドドア（Ｃ）が位置決めされることを特徴とする囲い。
【請求項２】
部分的に分割されたボウルの形状を有する、囲い、特にスパ用囲いであって、
前記囲いは、幾つかの球状セグメント（Ａ）及び（Ａ’）を含み、
各セグメントは、有益には透明なプレート（２）及び（２’）を内側に有するフレーム（１）によって構成され、
セグメント（Ａ）及び（Ａ’）の下部は、地面に設置された楕円形走行トラック（３）上に位置決めされ、更に、頂部では、セグメント（Ａ）及び（Ａ’）は、有益には透明な楕円形ボウルの形状を有し且つプレート（２”）を含むトップ囲い（Ｂ）の縁に分離可能に固定され、
トップ囲い（Ｂ）の前記縁と下部走行トラックとの間の少なくとも一つの弧状セグメントには、少なくとも一つの球状可動部を含むスライドドア（Ｃ）及び／又は（Ｃ’）が位置決めされることを特徴とする囲い。
【請求項３】
前記囲いは、少なくとも片側にドア（Ｄ）を備えることを特徴とする請求項２に記載の囲い。
【請求項４】
前記トップ囲い（Ｂ）は、二つの半球状部分（１７）によって構成され、その間に、スライド部（Ｆ）とともに、プレート（２”）を備えるフレーム（Ｅ）を有し、ガイドローラ（１６）によってトラック（１５）上に位置決めされることを特徴とする請求項２に記載の囲い。
【請求項５】
前記ガイドトラック（３）は、プロファイルからなり、前記プロファイルの平坦なベース（３１）は、片側が、垂直壁（３２）で終わり、垂直壁（３３）を有する他方は、水平な遮断セグメント（３４）で終わり、更に、ベース（３１）上には、中空シリンダの形状を有する中央に位置決めされた走行トラック（３５）があることを特徴とする請求項１又は２に記載の囲い。
【請求項６】
トップ囲い（Ｂ）の前記縁の前記ガイドトラック（３’）は、プロファイルからなり、前記プロファイルの平坦なベース（３１）は、片側が縁（３２’）で終わり、他方は、垂直壁（３３）が水平な遮断セグメント（３４）で終わり、同時に、プロファイル（１３）の内側に中空シリンダの形状を有する、ガイドローラ（１１’）用走行トラック（３５）は、ベース（３１）上に位置決めされ、更に、前記ガイドトラック（３’）は、下部プロファイル（５）に接続された上部プロファイル（１０）の側壁に固定され、更に、トップ囲い（Ｂ）の縁の中間部には、トラック（１５）が上部プロファイル（１０）の角度表面に固定されることを特徴とする請求項２に記載の囲い。
【請求項７】
セグメント（Ａ）及び／又は（Ａ’）のフレーム（１）の下部は、下部走行プロファイル（４）から構成されるが、上部は、トップ囲い（Ｂ）のプロファイル（５）の下縁によって構成され、更に、サイドのフレームはベースプロファイル（６）からなるが、セグメント（Ａ）及び／又は（Ａ’）における前記プレート（２）及び／又は（２’）は、中心に位置決めされた中間のベースプロファイル（７）に接続され、更に、下部走行プロファイル（４）の内側には、少なくとも二つのガイドローラが位置決めされることを特徴とする請求項１又は２に記載の囲い。
【請求項８】
前記走行プロファイル（４）は、一部が上方に開口したチャネルの形状を有する、プレート（２）用の仕切り部（４１）を含み、その下方には、矩形チャネル（４２）があり、下方に、チャネル（４２）の軸に対して傾斜した開口チャネル（４３）を有し、チャネル（４３）の上壁は、同時に、二つの縦凸部を含む、開口チャネル（４４）の下壁であることを特徴とする請求項７に記載の囲い。
【請求項９】
走行プロファイル（４）のチャネル（４４）の側壁に対して、丸い縁（９２）を有する帯（９１）の形状を有するドア走行プロファイル（９）が固定されることを特徴とする請求項８に記載の囲い。
【請求項１０】
前記縁（５）の下部プロファイルは、一部が下方に開口したチャネルの形状を有するプレート（２）用仕切り部（５１）と、その上方に、矩形チャネル（５２）が位置決めされ、チャネル（５２）の軸に対して傾斜した、部分的に開口した台形のチャネル（５３）を有し、更に、このチャネルの上方には、閉鎖した台形のチャネル（５５）を含む接続棚（５４）が位置決めされることを特徴とする請求項７に記載の囲い。
【請求項１１】
前記ベースプロファイル（６）は、一部が下方に開口したチャネルの形状を有するプレート（２）用仕切り部（６１）を有し、仕切り部（６１）の横には、矩形チャネル（６２）が位置決めされ、更に、チャネル壁（６２）の突起（６３）上には、減少していく断面を有し且つ封止部（６５）を含む棚（６４）が位置決めされることを特徴とする請求項７に記載の囲い。
【請求項１２】
前記中間ベースプロファイル（７）は、一部が下方に開口したチャネルの形状を有する二つの対称的に位置決めされる仕切り部（７１）及び（７２）を含み、更に、二つの閉鎖したチャネル（７３）と（７４）の中間部には、丸い縁を有するチャネル（７５）が位置決めされることを特徴とする請求項７に記載の囲い。
【請求項１３】
表面（Ｂ）の縁は、一部が下方に開口したチャネル（１０２）を有する、側壁に接続された、上部の透明プレート（１４）に対して傾斜し一部が開口した矩形チャネル（１０１）を含む縁（１０）の上部プロファイルを構成し、更に、下壁によって、前記矩形チャネル（１０１）は、一部が開口した数字１と同様な形状のチャネル（１０３）と接続され、チャネル（１０３）は、下壁によって、開口した台形の接続チャネル（１０４）と接続されることを特徴とする請求項１に記載の囲い。
【請求項１４】
前記上部の透明プレート（１４）は、有益には４つの部分に分割され、中間プロファイル（７）と接続されることを特徴とする請求項１３に記載の囲い。
【請求項１５】
ドア可動部（Ｃ）の下部ベースは、下部走行プロファイル（４）を構成し、その下部走行プロファイル（４）に対して、少なくとも一つの対称的ガイドローラ（１１）が固定され、同時に他方では、前記ガイドローラ（１１）は、有益にはアーム（１２）によって、走行トラック（３）上に位置決めされるが、上部ドア縁は、有益には仕切り部（１３１）を含み且つ一部が上方に開口したチャネルの形状を有し、且つ仕切り部（１３１）の下方には矩形チャネル（１３２）が位置決めされた上部走行プロファイル（１３）で終わり、更に、チャネル（１３）の内側には、少なくとも二つの傾斜したガイドローラが位置決めされるが、ドア側縁がベースプロファイル（６）によって構成され、前記ドア可動部（Ｃ）におけるプレート（２）は、有益には、中央に位置決めされた中間ベースプロファイル（７）を接続されることを特徴とする請求項１又は２に記載の囲い。
【発明の詳細な説明】
【技術分野】
【０００１】
本発明は、有益にはスライド式ドアを含む、有益には回転スライド式の半球状キャップの形状を有する、囲い（囲繞体）、特にスパ用の囲いを対象としている。本発明は、特に、異なる大気条件で使用される、水中マッサージを伴う小さなプールを意図している。
【背景技術】
【０００２】
囲いのフレームを構成するプロファイル、有益にはアルミニウムプロファイルから生成される囲いが知られ、そのプロファイルの内側には、プラスチックから、有益にはポリカーボネートから製造される、透明又は半透明板がある。
【０００３】
米国特許明細書番号４２４６６６３から、回転スライド式の半球状キャップを含む、スイミングプールの囲いが知られるが、前記キャップは二つの部品に分割され、より小さい直径を有する小さい方のキャップは、回転してスライドし、大きい方のキャップの内側に入る。囲いの上部には、上下に位置決めされる二つの同軸回転ブッシュがあり、各キャップのラックチューブの上端が固定される。下部には、囲いを地面に固定するローラ及びホルダのシステムがある。
【０００４】
カナダ特許明細書番号ＣＡ２１５４３７４から、スパ又は同様のスイミングプール用の囲いが知られ、エクステンションアーム上に位置決めされる囲いは、フレームを含み、その端部は、浴槽の縁上に固着されたトラック上を移動するローラを有する。
【発明の開示】
【発明が解決しようとする課題】
【０００５】
回転スライド式の部分的に分割された半球状キャップの形状を有する、本発明による特にスパのための囲いは、幾つかの球状要素を含むことを特徴とし、各球状要素は、有益には透明板を内側に有するフレームによって構成されるが、球状セグメントの下部は、円の形状を有し地面に載置されるトラック上に位置決めされる。セグメントの上部は、有益には透明キャップの形状を有する囲いの縁に結合されるが、囲いの縁と下部のトラックとの間には、少なくとも一つの球状セグメントから構成されるスライドドアがある。走行レールは、プロファイルからなり、プロファイルの平坦なベースは、一方の側が垂直壁で終わり、他方の側では、垂直壁が水平な遮断セグメントに衝突し、同時に、ベースの中心には、中空シリンダの形状を有する走行レールが位置決めされる。セグメントフレームの下部は下側の走行プロファイルによって構成されるが、上部は下側の縁プロファイルによって構成され、更に、フレームの側壁はベースプロファイルからなる。セグメントにおけるプレートは、中心に位置決めされる中間ベースプロファイルに接続され、更に、下側の走行プロファイルの内側は、少なくとも二つのガイドローラである。下側の走行プロファイルは、一部が上方に開口したチャネルの形状を有するプレート用の仕切り部であり、その下方には矩形チャネルが位置決めされ、その下方では、開口したチャネルが、チャネル軸に対して傾斜し、その上壁は、同時に、二つの縦凸部を含む開口チャネルの下壁である。走行プロファイルの側壁に固定され、フェンスの形状を有し、ボウル形状の縁で終わるドア走行プロファイルがある。下方の縁プロファイルは、一部が下方に開口したチャネルの形状を有するプレート用の仕切り部を有し、その上方には、矩形チャネルが位置し、更に上方には、チャネル軸に対して傾斜し一部が開口した多角形チャネルがあるが、このチャネルの上方には、台形の閉鎖されたチャネルを含む接続棚がある。ベースプロファイルは、チャネルの形状を有し且つ底部が一部開口するプレート用の仕切り部を有し、その横に矩形チャネルが位置決めされ、更に、チャネル壁の突起上には、減少していく断面を有し且つ封止用の仕切り部を備える棚が位置決めされる。中間ベースプロファイルは、一部が下方に開口したチャネルの形状を有する二つの対称的に位置決めされる仕切り部を含むが、中心部では、二つの閉鎖チャネル間に、丸い縁のチャネルが位置決めされる。
【０００６】
表面部品の縁は、側壁によって一部が下方に開口したチャネルに接続される、上方の透明プレート用の、傾斜して部分的に開口した矩形チャネルを含む上方の縁プロファイルによって構成されるが、矩形チャネルは、数字１に似ている、下壁によって開口した台形のチャネルと接続される、一部が開口したチャネルに下壁を介して接続される。上方の透明プレートは、有益には、４つの部品に分割され、中間プロファイルによって接続される。
【０００７】
ドア可動部の下部ベースは、走行プロファイルによって構成され、それに対して、少なくとも一つの対称ガイドローラが固定され、同時に、他方の側から、ガイドローラが、有益にはアームによって、走行トラック上に位置決めされる。上方のドア縁は、上方の走行プロファイルで終わり、有益には、一部が上方に開口したチャネルの形状を有する仕切り部を含み、その下方には、矩形チャネルがあり、同時に、前記プロファイルの内側には、少なくとも二つの傾斜したガイドローラが位置決めされるが、ドア側の縁は、ベースプロファイルによって構成され、ドア可動部のプレートは、有益には、中央に位置決めされる中間ベースプロファイルに接続される。
【０００８】
本発明のその他の代替物では、スパの囲いは、幾つかの半球セグメントを含むことを特徴とし、それぞれは、フレームによって構成され、有益には透明プレートが内側に位置決めされ、同時に、セグメントの下部は、地面に載置された楕円形の走行トラック上に位置決めされる。頂部には、セグメントは、有益にはポリカーボネートのプレートを構成する有益には楕円形のベースを有する透明なボウルである上部の縁に分離可能に接続され、同時に、上部の縁と下部走行トラックとの間の少なくとも一つの弧状部に、球状を有する少なくとも一つの可動部から構成されるスライドドアがある。囲いは、少なくとも片側に、前記ドアを備える。上部は、間にフレームを有する、有益には透明な、有益には二つの半球状ボウルによって構成され、プレート及びスライド部を備え、ガイドローラによってトラック上に位置決めされる。
【０００９】
表面の縁のガイドトラックは、プロファイルからなり、その平坦なベースは、片側が縁で終わり、他方は、垂直壁が水平な遮断セグメントで終わる。プロファイルの内側に位置決めされた、ガイドローラのための中空シリンダの形状を有する、ベース上に位置決めされた走行トラックがある。ガイドトラックは、下部プロファイルに接続された上部プロファイルの側壁に固定され、更に、トップ囲いの中間部では、トラックが、上部プロファイルの壁の角度表面に固定される。セグメントフレームの下部は、下部走行プロファイルによって構成されるが、上部は、表面縁の下部プロファイルによって構成され、更に、フレームの側壁は、ベースプロファイルからなる。セグメントにおけるプレートは、中央に位置決めされるベースプロファイルによって接続され、更に、下部走行プロファイルの内側には、少なくとも二つのガイドローラが位置決めされる。走行プロファイルの側壁に固定され、丸い縁で終わる帯の形状を有するドア走行プロファイルがある。
【００１０】
本発明による囲いは、例えば、天候状態に対するスイミングプールの保護を可能にし、回転スライド式構造により、回転軸の周りに、囲いのあらゆる設定を可能にする。一方、第２の本発明の代替案は、アーチ型部及びサイドドア、及び囲いの上部に位置決めされるスライド式フロントドアの構造は、スイミングプールの上方の保護された空間の適度な通気を可能にする。囲いの設計は、特定のセグメント及びドア可動部の迅速且つ簡単な組立を可能にする。アルミニウムプロファイル及びポリカーボネートプレートの適用は、比較的軽量の囲いにおいて、構造の高い安定性及び耐久性を保証する。
【００１１】
本発明の例は、図面に提示される。
【発明を実施するための最良の形態】
【００１２】
囲いは、幾つかの球状セグメントＡを含み、各セグメントは、フレーム１から構成され、内側には、有益には透明プレート２が位置決めされ、同時に、セグメントＡの下部は、地面に設置された円形の走行トラック３上に位置決めされる。頂部では、セグメントＡが、有益にはボウルの形状を有するトップ囲いＢの縁に対して分離可能に固定されるが、トップ囲いＢの縁と下部の走行トラック３との間には、少なくとも一つの可動部を備える球状のスライドドアＣがある。走行トラック３は、プロファイルから構成され、その平坦なベース３１は、一方の端部が垂直壁３２で終わり、他方の端部は、垂直壁３３が、水平の遮断セグメント３４で終わり、同時に、ベース３１上には、中空シリンダの形状を有する走行トラック３５が位置決めされる。セグメントＡのフレーム１の下部は、下部走行プロファイル４を構成するが、上部は、下縁プロファイル５によって構成され、更に、フレームの側壁は、ベースプロファイル６からなり、セグメントＡにおけるプレート２は、中心に位置決めされる中間ベースプロファイル７に接続され、下部走行プロファイル４の内側には、少なくとも二つのガイドローラ８が位置決めされる。走行プロファイル４は、一部が上方に開口チャネルの形状を有するプレート２用仕切り部４１と、その下方に、チャネル４２の軸に対して傾斜した矩形の開口チャネル４３とを含み、チャネル４３の上壁は、同時に、二つの長手方向凸部４５を含む開口チャネル４４の下壁である。
【００１３】
ドア走行プロファイル９は、走行プロファイル４のチャネル側壁４４に固定され、帯９１の形状を有し、丸い縁９２で終わる。下縁プロファイル５は、一部を下方に開口したチャネルの形状を有するプレート２用仕切り部５１と、その上方に、チャネル５２の軸に対して傾斜した多角形の一部の開口チャネル５３とを含み、更にこのチャネルの上方には、台形の閉鎖チャネル５５を含む接続棚５４がある。
【００１４】
ベースプロファイル６は、部分的に下方に開口したチャネルの形状を有するプレート２用仕切り部６１を含み、仕切り部６１の横には、矩形チャネル６２があり、更に壁チャネル６２の突起６３上には、減少していく断面を有し且つ封止用仕切り部６５を含む棚６４がある。中間ベースプロファイル７は、一部が下方に開口したチャネルの形状を有する二つの対称的な仕切り部７１及び７２を含み、更に二つの閉鎖したチャネル７３と７４の中間部には、丸い端部を有するチャネル７５がある。
【００１５】
上部Ｂの縁は、上方の透明プレート１４のための、傾斜し且つ一部が開口した矩形チャネル１０１を有し、且つ一部が下方に開口したチャネル１０２を有する下壁によって接続された上縁プロファイル１０によって構成されるが、矩形チャネル１０１は、数字１に似た、下壁によって、開口した台形チャネル１０４と接続する部分的に開口したチャネル１０３と接続される。
【００１６】
上部透明プレート１４は、有益には４つの部分に分割され、中間ベースプロファイル７によって接続される。ドア可動部Ｃの下部ベースは、下部走行プロファイル４によって構成され、少なくとも一つの対称ガイドローラ１１が固定され、同時に、ガイドローラ１１は、もう一方の側で、走行トラック３上、有益にはアーム１２によって位置決めされるが、上部ドア縁は、有益には、一部が上方に開口したチャネル形状を有する仕切り部１３１を含む上部走行プロファイル１３で終わり、その下方には、矩形チャネル１３２があり、更に、プロファイル１３の内側には、少なくとも二つの傾斜したガイドローラが位置決めされ、サイドドアの縁は、ベースプロファイル６によって構成されるが、ドア可動部Ｃにおけるプレート２は、有益には、中心に位置決めされた中間ベースプロファイル７によって接続される。
【００１７】
本発明の代替案では、囲いは、幾つかの球状セグメントＡ及びＡ’を含み、それぞれがフレーム１によって構成され、有益には透明なプレート２及び２’を内側に有し、更に、セグメントＡ及びＡ’の下部は、地面に設置された楕円形の走行トラック３上に位置決めされる。セグメントＡ及びＡ’は、頂部で、プレート２”を含む有益には透明の楕円形ボウルの形状を有する上部Ｂの縁に接続され、更に、トップ囲いＢの縁と下部走行トラック３との間に、少なくとも一つの球状可動部、少なくとも一つの弧状セグメントを有するスライドドアＣ及び／又はＣ’がある。囲いは、スライドドアＤを備える。トップ囲いＢは、二つの半球状端部１２と、その間にスライド部Ｆを有するフレームＥとから構成され、プレート２”を備え、ガイドローラ１５によってトラック１４上に位置決めされる。
【００１８】
上部Ｂの縁のガイドトラック３’は、プロファイルからなり、その平坦なベース３１は片側が縁３２’で終わり、他方で、垂直壁３３は、水平な遮断セグメント３４によって終わり、更に、ベース３１上では、走行トラック３５が位置決めされ、プロファイル１３の内側にある、ガイドローラ１１’のための中空シリンダの形状を有する。ガイドトラック３’は、下部プロファイル５に接続された上部プロファイル１０の側壁に固定され、更に、上部Ｂの縁の中間部では、トラック１４が、上部プロファイル１０の壁の角度表面に対して固定される。
【００１９】
セグメントＡ及びＡ’のフレーム１の下部は、下部走行プロファイル４によって構成されるが、上部は、下縁プロファイル５から構成され、更に、フレーム側壁は、ベースプロファイル６からなり、セグメントＡ及びＡ’におけるプレート２及び２’は、中心に位置決めされる中間ベースプロファイル７と接続され、同時に、少なくとも二つのガイドローラ８が、下部走行プロファイル４の内側に位置決めされる。走行プロファイル４の側壁に対して、ドア走行プロファイル９は、固定され、丸い縁を有する帯の形状を有する。
【図面の簡単な説明】
【００２０】
【図１】上方からの囲いの斜視図である。
【図２】一部が開口した囲いの斜視図である。
【図３】ドアを閉鎖した、上方からの囲いの斜視図である。
【図４】ドアを開口した、上方からの囲いの斜視図である。
【図５】囲いの断面図である。
【図６】上方からの囲いの図である。
【図７】第２の本発明の代替案のための、上方からの囲いの斜視図である。
【図８】第２の本発明の代替案のための囲いの断面図である。
【図９】第２の本発明の代替案のための、上方からの囲いの図である。
【図１０】図５及び図８の断面Ｙ（トップ囲いＢとのセグメントＡの接続部）を示す。
【図１１】図５の断面Ｘ（セグメントＡとドア可動部Ｃの下部接続部）を示す。
【図１２】ドア可動部Ｃの下縁の正面図である。
【図１３】走行トラックプロファイルの斜視図である。
【図１４】下部走行トラックプロファイルの斜視図である。
【図１５】ガイドトラックプロファイルの斜視図である。
【図１６】ベースプロファイルの斜視図である。
【図１７】上部走行プロファイルの斜視図である。
【図１８】中間プロファイルの斜視図である。
【図１９】ドア走行プロファイルの斜視図である。
【図２０】上縁プロファイルの斜視図である。
【図２１】下縁プロファイルの斜視図である。
【図２２】図８の断面Ｚ（上部ＢとのセグメントＡの接続部）を示す。
【図１】
2009511778.tif 000003
【図２】
2009511778.tif 000004
【図３】
2009511778.tif 000005
【図４】
2009511778.tif 000006
【図５】
2009511778.tif 000007
【図６】
2009511778.tif 000008
【図７】
2009511778.tif 000009
【図８】
2009511778.tif 000010
【図９】
2009511778.tif 000011
【図１０】
2009511778.tif 000012
【図１１】
2009511778.tif 000013
【図１２】
2009511778.tif 000014
【図１３】
2009511778.tif 000015
【図１４】
2009511778.tif 000016
【図１５】
2009511778.tif 000017
【図１６】
2009511778.tif 000018
【図１７】
2009511778.tif 000019
【図１８】
2009511778.tif 000020
【図１９】
2009511778.tif 000021
【図２０】
2009511778.tif 000022
【図２１】
2009511778.tif 000023
【図２２】
2009511778.tif 000024
【国際調査報告】
2009511778.tif 000025
2009511778.tif 000026